(57)【要約】【課題】制御部に対する処理負担を軽減し、消費電流の削減を行うことができる電子機器及び制御方法を提供すること。【解決手段】処理部７０は、画像データ及び音声データを再生処理する第１の再生処理部７１と、音声データを再生処理する第２の再生処理部７２と、画像付き音声データの再生要求及び画像付き音声データの停止要求を行う要求部７３と、要求部７３の要求にしたがって第１の再生処理部７１及び第２の再生処理部７２を制御する制御部７４とを備える。制御部７４は、要求部７３により再生要求がされたときに、画像付き音声データを第１の再生処理部７１に供給し、第１の再生処理部７１より画像及び音声の再生処理を行わせ、その後、要求部７３により停止要求がされたときに、第１の再生処理部７１による再生処理を停止させ、画像付き音声データを第２の再生処理部７２に供給し、第２の再生処理部７２により音声の再生処理を行わせるように制御する。【選択図】図３
2009111627.tif 000002
【特許請求の範囲】
【請求項１】
画像データ及び音声データを再生処理する第１の再生処理手段と、
音声データを再生処理する第２の再生処理手段と、
画像付き音声データの再生要求及び画像付き音声データの停止要求を行う要求手段と、
前記要求手段により前記再生要求がされたときに、前記画像付き音声データを前記第１の再生処理手段に供給し、前記第１の再生処理手段より画像及び音声の再生処理を行わせ、その後、前記要求手段により前記停止要求がされたときに、前記第１の再生処理手段による再生処理を停止させ、前記画像付き音声データを前記第２の再生処理手段に供給し、前記第２の再生処理手段により音声の再生処理を行わせる制御手段と、を備えることを特徴とする電子機器。
【請求項２】
前記制御手段は、前記要求手段により前記停止要求がされたときに、前記第１の再生処理手段による再生処理を停止させ、前記画像付き音声データを前記第２の再生処理手段に供給し、前記第２の再生処理手段により音声の再生処理を行わせ、その後、前記要求手段により前記再生要求がされたときに、前記第２の再生処理手段による再生処理を停止させ、前記画像付き音声データを前記第１の再生処理手段に供給し、前記第１の再生処理手段により画像及び音声の再生処理を行わせることを特徴とする請求項１記載の電子機器。
【請求項３】
前記制御手段は、前記要求手段により、前記停止要求がされたときに、前記第１の再生処理手段による再生処理を停止するタイミングを一定期間遅延させ、前記停止要求後に前記再生要求がされたときに、前記第２の再生処理手段による再生処理を停止するタイミングを一定期間遅延させることを特徴とする請求項１又は２に記載の電子機器。
【請求項４】
前記第１の再生処理手段による画像データの再生画像を表示する表示手段を備え、
前記制御手段は、前記要求手段により前記停止要求がされたときに、画像の再生が停止していることを示す情報を前記表示手段に表示させることを特徴とする請求項１から請求項３にいずれか１項に記載の電子機器。
【請求項５】
前記第１の再生処理手段による再生処理を停止するタイミングを遅延する一定期間は、前記第２の再生処理手段による再生の準備に要する時間以上の時間であり、前記第２の再生処理手段による再生処理を停止するタイミングを遅延する一定期間は、前記第１の再生処理手段による再生の準備に要する期間時間以上の時間であることを特徴とする請求項３記載の電子機器。
【請求項６】
前記第２の再生処理手段による再生処理の消費電流は、前記第１の再生処理手段による再生処理の消費電流よりも少ないことを特徴とする請求項１記載の電子機器。
【請求項７】
画像付き音声データの再生要求及び画像付き音声データの停止要求を行う要求工程と、
前記要求工程により前記再生要求がされたときに、画像データ及び音声データを再生処理する第１の再生処理部に画像付き音声データを供給し、前記第１の再生処理部より画像及び音声の再生処理を行う第１の再生処理工程と、
前記第１の再生処理工程の後に、前記要求工程により前記停止要求がされたときに、前記第１の再生処理部による再生処理を停止し、音声データを再生処理する第２の再生処理部に前記画像付き音声データを供給し、前記第２の再生処理部により音声の再生処理を行う第２の再生処理工程と、を備えることを特徴とする制御方法。
【請求項８】
前記第２の再生処理工程の後に、前記要求工程により前記再生要求がされたときに、前記第２の再生処理部による再生処理を停止し、前記画像付き音声データを前記第１の再生処理部に供給し、前記第１の再生処理部により画像及び音声の再生処理を行わせる第３の再生処理工程とを備えることを特徴とする請求項７記載の制御方法。
【発明の詳細な説明】
【技術分野】
【０００１】
本発明は、画像付き音声データを再生する電子機器及び制御方法に関する。
【背景技術】
【０００２】
携帯電話装置では、使用者の要求に応じて、同時に複数のアプリケーションを起動し、有効となるアプリケーションを選択することが可能となっている。また、複数のアプリケーションを表示する際に、使用者による操作性を考慮した技術が提案されている（例えば、特許文献１を参照。）。
【０００３】
ところで、近年の携帯電話装置では、動画付き音声データを再生中に他のアプリケーションに切り替える又は他のアプリケーションを起動する際において、再生中の動画部分を非表示としつつ、再生中の音声部分のみを継続して再生することが可能となっている。なお、動画付き音声データは、専用の動画音声再生処理部により行われている。
【特許文献１】特開２００５−２５２９６９号公報
【発明の開示】
【発明が解決しようとする課題】
【０００４】
ここで、他のアプリケーションを利用するため、動画部分を非表示としつつ、音声部分のみを動画音声再生処理部により継続して再生を行う場合には、非表示であったとしても動画部分の再生は行われているので、動画音声処理部による再生消費電流が、音声処理部による再生の消費電流よりも大きければ、消費電流を無駄に損失していることになる。
【０００５】
また、動画部分の再生を行っていると、その分だけ制御部（ＣＰＵ）に対して処理負担が生じるため、他のアプリケーションの処理に影響を与えて、処理速度を劣化させたり、逆に再生処理が影響を受けて、フレーム落ちや音とびが発生し、正常に再生を行うことが困難となる。
【０００６】
本発明では、上述のような課題に鑑みてなされたものであり、その目的の一つは、他のアプリケーションを利用するため、動画部分を非表示としつつ、音声部分のみを継続して再生処理を行いながら、制御部に対する処理負担を軽減し、消費電流の削減を行うことができる電子機器及び制御方法を提供することにある。
【課題を解決するための手段】
【０００７】
本発明に係る電子機器は、上記課題を解決するために、画像データ及び音声データを再生処理する第１の再生処理手段と、音声データを再生処理する第２の再生処理手段と、画像付き音声データの再生要求及び画像付き音声データの停止要求を行う要求手段と、前記要求手段により前記再生要求がされたときに、前記画像付き音声データを前記第１の再生処理手段に供給し、前記第１の再生処理手段より画像及び音声の再生処理を行わせ、その後、前記要求手段により前記停止要求がされたときに、前記第１の再生処理手段による再生処理を停止させ、前記画像付き音声データを前記第２の再生処理手段に供給し、前記第２の再生処理手段により音声の再生処理を行わせる制御手段と、を備えることを特徴とする。
【０００８】
上記電子機器では、前記制御手段は、前記要求手段により前記停止要求がされたときに、前記第１の再生処理手段による再生処理を停止させ、前記画像付き音声データを前記第２の再生処理手段に供給し、前記第２の再生処理手段により音声の再生処理を行わせ、その後、前記要求手段により前記再生要求がされたときに、前記第２の再生処理手段による再生処理を停止させ、前記画像付き音声データを前記第１の再生処理手段に供給し、前記第１の再生処理手段により画像及び音声の再生処理を行わせることが好ましい。
【０００９】
上記電子機器では、前記制御手段は、前記要求手段により、前記停止要求がされたときに、前記第１の再生処理手段による再生処理を停止するタイミングを一定期間遅延させ、前記停止要求後に前記再生要求がされたときに、前記第２の再生処理手段による再生処理を停止するタイミングを一定期間遅延させることが好ましい。
【００１０】
上記電子機器では、前記第１の再生処理手段による画像データの再生画像を表示する表示手段を備え、前記制御手段は、前記要求手段により前記停止要求がされたときに、画像の再生が停止していることを示す情報を前記表示手段に表示させることが好ましい。
【００１１】
上記電子機器では、前記第１の再生処理手段による再生処理を停止するタイミングを遅延する一定期間は、前記第２の再生処理手段による再生の準備に要する時間以上の時間であり、前記第２の再生処理手段による再生処理を停止するタイミングを遅延する一定期間は、前記第１の再生処理手段による再生の準備に要する期間時間以上の時間であることが好ましい。
【００１２】
上記電子機器では、前記第２の再生処理手段による再生処理の消費電流は、前記第１の再生処理手段による再生処理の消費電流よりも少ないことが好ましい。
【００１３】
本発明に係る制御方法は、上記課題を解決するために、画像付き音声データの再生要求及び画像付き音声データの停止要求を行う要求工程と、前記要求工程により前記再生要求がされたときに、画像データ及び音声データを再生処理する第１の再生処理部に画像付き音声データを供給し、前記第１の再生処理部より画像及び音声の再生処理を行う第１の再生処理工程と、前記第１の再生処理工程の後に、前記要求工程により前記停止要求がされたときに、前記第１の再生処理部による再生処理を停止し、音声データを再生処理する第２の再生処理部に前記画像付き音声データを供給し、前記第２の再生処理部により音声の再生処理を行う第２の再生処理工程と、を備えることを特徴とする。
【００１４】
上記制御方法では、前記第２の再生処理工程の後に、前記要求工程により前記再生要求がされたときに、前記第２の再生処理部による再生処理を停止し、前記画像付き音声データを前記第１の再生処理部に供給し、前記第１の再生処理部により画像及び音声の再生処理を行わせる第３の再生処理工程とを備えるが好ましい。
【発明の効果】
【００１５】
本発明によれば、制御部に対する処理負担を軽減し、消費電流の削減を行うことができる。
【発明を実施するための最良の形態】
【００１６】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、撮像機能及び通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００１９】
また、撮像部２３は、撮像方向が表面部２０の表示面と垂直の方向になっているので、この携帯電話装置１を保持して操作する者がディスプレイ２１を正面から見たときに、撮像方向がその者の顔が位置する方向に向くようになっている。なお、撮像部２３は、表示部側筐体部３に設ける代わりに、操作部側筐体部２の表面部１０に設けるようにしても良く、このような場合にも撮像部２３の撮像方向は、この携帯電話装置１を保持して操作する者の顔が位置する方向に向くようしても良い。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２１】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２２】
また、図２は、携帯電話装置１の機能を示す機能ブロック図である。携帯電話装置１は、図２に示すように、所定の情報を表示するディスプレイ２１と、音を外部に出力するスピーカ２４と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、外部メモリ１００が装着される装着部１０１と、を備えている。
【００２３】
通信部６０は、所定の使用周波数帯により外部装置と通信を行うメインアンテナ６１と、変調処理又は復調処理等の信号処理を行う通信処理部６２と、を備える。
【００２４】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００２５】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００２６】
電源回路部９０は、充電池８０から供給される電源電圧を所定の電圧値に変圧し、変圧後の電源電圧を通信部６０や処理部７０等に供給する。
【００２７】
装着部１０１は、所定の規格に準じた形状をなしており、当該所定の規格に準じた不揮発性の外部メモリ１００の装着を可能としている。また、処理部７０は、装着部１０１に装着された外部メモリ１００にデータを書き込んだり、また書き込まれているデータを読み出したりする。
【００２８】
また、本実施例では、外部メモリ１００は、複数のフォルダ（ディレクトリ）で構成されており、記憶されるデータの種類に応じて格納されるフォルダが異なるものとして説明するが、特にこの構成に限定されるものではない。
【００２９】
また、外部メモリ１００は、例えば、ＦＡＴ（ｆｉｌｅ  ａｌｌｏｃａｔｉｏｎ  ｔａｂｌｅ）によりデータの管理がされているものとして説明するが、特にこれに限定されるものではない。
【００３０】
ここで、処理部７０の構成と動作について説明する。処理部７０は、図３に示すように、画像データ及び音声データを再生処理する第１の再生処理部７１（第１の再生処理手段）と、音声データを再生処理する第２の再生処理部７２（第２の再生処理手段）と、画像付き音声データの再生要求及び画像付き音声データの停止要求を行う要求部７３（要求手段）と、要求部７３の要求にしたがって第１の再生処理部７１及び第２の再生処理部７２を制御する制御部７４（制御手段）とを備える。なお、本実施例では、画像付き音声データに含まれている画像は、静止画像であっても動画像であっても良い。
【００３１】
第１の再生処理部７１は、所定の規格に準じてエンコードされている画像付き音声データが入力されると、当該所定の規格に準じてデコード処理を行い、デコード後の画像データをディスプレイ２１に出力し、デコード後の音声データをスピーカ２４から出力する。また、制御部７４は、画像データと音声データとが同期して出力されるように制御する。
【００３２】
第２の再生処理部７２は、所定の規格に準じてエンコードされている音声データが入力されると、当該所定の規格に準じてデコード処理を行い、デコード後の音声データをスピーカ２４から出力する。
【００３３】
要求部７３は、操作キー群１１が使用者により所定の操作が行われることにより、制御部７４に対して、画像付き音声データの再生要求及び画像付き音声データの停止要求を行う。なお、要求部７３は、操作キー群１１の操作に応じて、上述以外の要求を制御部７４に行うことはもちろんである。
【００３４】
制御部７４は、要求部７３により再生要求がされたときに、画像付き音声データを第１の再生処理部７１に供給し、第１の再生処理部７１より画像及び音声の再生処理を行わせ、その後、要求部７３により停止要求がされたときに、第１の再生処理部７１による再生処理を停止させ、画像付き音声データを第２の再生処理部７２に供給し、第２の再生処理部７２により音声の再生処理を行わせるように制御する。
【００３５】
また、制御部７４は、要求部７３により停止要求がされたときに、第１の再生処理部７１による再生処理を停止させ、画像付き音声データを第２の再生処理部７２に供給し、第２の再生処理部７２により音声の再生処理を行わせ、その後、要求部７３により再生要求がされたときに、第２の再生処理部７２による再生処理を停止させ、画像付き音声データを第１の再生処理部７１に供給し、第１の再生処理部７１により画像及び音声の再生処理を行わせる制御を行う。
【００３６】
制御部７４は、要求部７３により停止要求がされたときに、第１の再生処理部７１による再生処理を停止するタイミングを一定期間遅延させる。また、制御部７４は、要求部７３により停止要求後に再生要求がされたときに、第２の再生処理部７２による再生処理を停止するタイミングを一定期間遅延させる。
【００３７】
また、第１の再生処理部７１による再生処理を停止するタイミングを遅延する一定期間は、例えば、第２の再生処理部７２による再生の準備に要する時間以上の時間である。また、第２の再生処理部７２による再生処理を停止するタイミングを遅延する一定期間は、例えば、第１の再生処理部７１による再生の準備に要する期間時間以上の時間である。
【００３８】
ここで、本発明に係る携帯電話装置１による、使用者の操作に応じて第１の再生処理部７１と第２の再生処理部７２の切り替え処理ついて図４を用いて説明する。なお、以下では、切り替え処理の一例として、使用者の操作に応じて、１．画像再生アプリケーション、２．アプリケーションＡ（トップ画面）、３．アプリケーションＢ（メール作成アプリケーション（メーラー））、４．画像再生アプリケーション、の順番でシーン（メインとなるアプリケーション）が切り替わるものとする。
【００３９】
制御部７４は、使用者の操作に応じて、要求部７３から画像付き音声データの再生要求（図４中の「画像再生（ｖｉｄｅｏつき）」）がされたとき、画像再生アプリケーションを起動し、第１の再生処理部７１に画像再生要求を行い、画像付き音声データの再生処理を行わせる。第１の再生処理部７１は、画像再生要求にしたがって、画像付き音声データの再生処理を行う。
【００４０】
制御部７４は、使用者の操作に応じて、要求部７３から音のみの再生要求（画像再生の停止要求）がされたとき（図４中の「ＢＧＭ再生」）、第１の再生処理部７１の動作を停止させ、画像再生アプリケーションからアプリケーションＡ（トップ画面）に切り替え、第２の再生処理部７２に画像付き音声データの再生処理を行わせる。第２の再生処理部７２は、画像停止位置から再生開始要求にしたがって、画像付き音声データに含まれている音声データについて再生処理を行う。
【００４１】
制御部７４は、使用者の操作に応じて、要求部７３からメール作成の要求がされたとい、アプリケーションＢを起動する。使用者は、操作キー群１１を操作することにより、メールを作成し、送信等の操作を行う。
【００４２】
制御部７４は、使用者の操作に応じて、要求部７３から画像の再生要求がされたとき（図４中の「画像再生」）、第２の再生処理部７２の動作を停止させ（図４中の「画像停止要求」）、アプリケーションＢから画像再生アプリケーションに切り替え、第１の再生処理部７１に画像付き音声データの再生処理を再び行わせる。第１の再生処理部７１は、画像再生位置から再生開始要求にしたがって、画像付き音声データについて再生処理を行う。
【００４３】
また、制御部７４は、使用者の操作に応じて、要求部７３から画像の停止要求がされたとき、第１の再生処理部７１の動作を停止させる。
【００４４】
なお、画像の再生状態から停止状態に移行する際に行われる第１の再生処理部７１から第２の再生処理部７２への切り替え時、及び画像の停止状態から再生状態に移行する際に行われる第２の再生処理部７２から第１の再生処理部７１への切り替え時において、本発明のように、各再生処理部の遅延処理を行なわなければ一定時間非表示かつ無音区間が生じる。
【００４５】
これは、第１の再生処理部７１及び第２の再生処理部７２の停止処理期間において、１．再生の停止処理、２．使用していた資源（ディスプレイ２１等）の解放等が行われ、また、切り替え後の第１の再生処理部７１及び第２の再生処理部７２の再生処理期間において、１．使用する資源（ディスプレイ２１等）の確保や、初期化、２．ドライバの初期設定、３．再生するデータの読み込みや、解析、４．再生開始の処理等が行われるからである。
【００４６】
ところで、これらの期間は、使用者の意思による切り替え要求に応じて生じるため、非表示かつ無音状態であっても違和感が少ないと言える。
【００４７】
一方で、制御部７４は、要求部７３により停止要求がされたとき等により生ずるこれらの非表示状態期間中において、画像の再生が停止していることを示す情報（例えば、「準備中」）をディスプレイ２１に表示させる構成であっても良い。このような構成にすることにより、違和感を具体的に軽減することができる。
【００４８】
ここで、本発明に係る携帯電話装置１による、円滑に第１の再生処理部７１から第２の再生処理部７２への切り替える際及び第２の再生処理部７２から第１の再生処理部７１への切り替える際の無音区間を短時間又は聴感上発生させないようにするための切り替え制御について、図５を用いて以下に説明する。
【００４９】
制御部７４は、使用者の操作（画像付き音声データの再生操作）に応じて（Ｓ１）、画像再生アプリケーションを起動する。画像再生アプリケーションは、第１の再生処理部７１に画像付き音声データを再生する開始位置（タイミング）を指定し（Ｓ２）、第１の再生処理部７１により画像付き音声データの再生が可能となるまで一定期間待ち、その後、画像再生要求を行う（Ｓ３）。
【００５０】
また、画像再生アプリケーションは、使用者の操作（音のみの再生操作）に応じて（Ｓ４）、第２の再生処理部７２に音声データのみを再生する開始位置を指定（第２の再生処理部７２により画像付き音声データの音声データのみの再生が可能となるための準備時間を考慮した時間を指定する）する（Ｓ５）。第２の再生処理部７２は、指定された時間内に再生準備を行い画像再生アプリケーションからの再生要求を待つ（Ｓ６）。
【００５１】
また、第１の再生処理部７１は、画像再生アプリケーションに対して、一定間隔で、再生時間の通知を行う（Ｓ７）。なお、画像再生アプリケーションは、第１の再生処理部７１から供給される再生時間に基づいて、ディスプレイ２１にデータの再生経過時間を表示する。
【００５２】
画像再生アプリケーションは、Ｓ５で指定した準備時間が経過したとき、第１の再生処理部７１からの再生時間の通知のタイミングに応じて、第１の再生処理部７１に停止要求を行い（Ｓ８）、第２の再生処理部７２に再生要求を行う（Ｓ９）。
【００５３】
画像再生アプリケーションは、使用者の操作（画像の再生操作）に応じて（Ｓ１０）、第１の再生処理部７１に画像を再生する開始位置を指定する（Ｓ１１）。なお、このとき、画像再生アプリケーションは、第１の再生処理部７１により画像付き音声データの再生が可能となるための準備時間を考慮した時間を指定する。第１の再生処理部７１は、指定された時間内に再生準備を行い画像再生アプリケーションからの再生要求を待つ（Ｓ１２）。
【００５４】
また、第２の再生処理部７２は、画像再生アプリケーションに対して、一定間隔で、再生時間の通知を行う（Ｓ１３）。なお、画像再生アプリケーションは、第２の再生処理部７２から供給される再生時間に基づいて、ディスプレイ２１にデータの再生経過時間を表示する。
【００５５】
画像再生アプリケーションは、Ｓ１１で指定した準備時間が経過したとき、第２の再生処理部７２からの再生時間の通知のタイミングに応じて、第２の再生処理部７２に停止要求を行い（Ｓ１４）、第１の再生処理部７１に再生要求を行う（Ｓ１５）。
【００５６】
上述のような切り替え制御を行うことにより、無音区間を短時間（Ｓ８からＳ９の間及びＳ１４からＳ１５の間であって、数ｍｓｅｃ程度の時間）にすることができ、使用者に対して違和感のない切り替え制御を行うことができる。また、Ｓ１０からＳ１４の区間は、画像の再生が停止していることを示す情報（例えば、「準備中」）をディスプレイ２１に表示させることにより、非表示区間における違和感を軽減することができる。
【００５７】
このようにして、本発明に係る携帯電話装置１では、現在、メイン（アクティブ）で使用しているアプリケーションに応じて、第１の再生処理部７１から第２の再生処理部７２への切り替え又は第２の再生処理部７２から第１の再生処理部７１への切り替えを行うので、消費電流の削減及び制御部７４による処理時間の削減を行うことができ、制御部７４による処理負担により音とび等が発生せず、効率的な動作を図ることができる。
【００５８】
また、本発明に係る携帯電話装置１では、第１の再生処理部７１及び第２の再生処理部７２による再生タイミングを適式に図ることにより、無音区間が生じることによる違和感を軽減し、円滑に、第１の再生処理部７１から第２の再生処理部７２への切り替え及び第２の再生処理部７２から第１の再生処理部７１への切り替えを制御することができる。
【００５９】
なお、第１の再生処理部７１から第２の再生処理部７２に切り替えられる際、及び第２の再生処理部７２から第１の再生処理部７１に切り替えられる際に、制御部７４により再生される音や画像をフェードイン及びフェードアウトさせるように制御しても良い。
【００６０】
また、本発明に係る携帯電話装置１では、第２の再生処理部７２による再生処理の消費電流は、第１の再生処理部７１による再生処理の消費電流よりも少ないので、再生処理部を切り替える動作により、消費電流の削減をすることが可能となる。
【図面の簡単な説明】
【００６１】
【図１】本発明に係る携帯電話装置の外観を示す斜視図である。
【図２】本発明に係る携帯電話装置の機能を示すブロック図である。
【図３】本発明に係る携帯電話装置に備えられている処理部の機能を示すブロック図である。
【図４】第１の再生処理部と第２の再生処理部の切り替え処理を行う方法についての説明に供する図である。
【図５】無音区間を考慮して、第１の再生処理部と第２の再生処理部の切り替え処理を行う方法についての説明に供する図である。
【符号の説明】
【００６２】
１  携帯電話装置
７０  処理部
７１  第１の再生処理部（第１の再生処理手段）
７２  第２の再生処理部（第２の再生処理手段）
７３  要求部（要求手段）
７４  制御部（制御手段）
【図１】
2009111627.tif 000003
【図２】
2009111627.tif 000004
【図３】
2009111627.tif 000005
【図４】
2009111627.tif 000006
【図５】
2009111627.tif 000007